(57)【要約】      （修正有）【課題】コイルと内側コア部との間の隙間が小さくても、その隙間に樹脂が十分に充填されたリアクトルを提供する。【解決手段】巻線を巻回してなる巻回部２２を有するコイル２と、巻回部２２の内部に配置される内側コア部３１と、巻回部２２の外部に配置される外側コア部３２とを有する磁性コア３と、巻回部２２の内周面と内側コア部３１の外周面との間に充填される内側樹脂部５と、を備えるリアクトル１であって、外側コア部３２における内側コア部３１に面する側を内方側とし、内方側との反対側を外方側とし、その内外方向と外側コア部内に励磁される磁束の方向の両方向に直交する方向を上下方向とするとき、外側コア部３２は、上下方向に交差する分割面３２２を介して、上下方向に連結される複数のコア片３２１を有し、内側コア部３１は、内外方向の一端側の面から他端側の面に向かって抜ける分割面を有さない。【選択図】図２
2020053432.tif 000002
【特許請求の範囲】
【請求項１】
巻線を巻回してなる巻回部を有するコイルと、
前記巻回部の内部に配置される内側コア部と、前記巻回部の外部に配置される外側コア部とを有する磁性コアと、
前記巻回部の内周面と前記内側コア部の外周面との間に充填される内側樹脂部と、を備えるリアクトルであって、
前記外側コア部における前記内側コア部に面する側を内方側とし、前記内方側との反対側を外方側とし、その内外方向と前記外側コア部内に励磁される磁束の方向の両方向に直交する方向を上下方向とするとき、
前記外側コア部は、前記上下方向に交差する分割面を介して、前記上下方向に連結される複数のコア片を有し、
前記内側コア部は、前記内外方向の一端側の面から他端側の面に向かって抜ける分割面を有さないリアクトル。
【請求項２】
前記外側コア部の前記分割面は、前記内外方向に平行な面を有する請求項１に記載のリアクトル。
【請求項３】
前記外側コア部の前記分割面は、前記上下方向に直交する面を有する請求項１又は請求項２に記載のリアクトル。
【請求項４】
前記外側コア部は、前記内外方向に貫通する孔部を有し、
前記外側コア部の前記分割面は、前記孔部を前記上下方向に分断する請求項１から請求項３のいずれか１項に記載のリアクトル。
【請求項５】
前記孔部内に充填される中間樹脂部と、
前記外側コア部の外側を覆う外側樹脂部とを有し、
前記内側樹脂部と前記外側樹脂部とが前記中間樹脂部を介して連結されている請求項４に記載のリアクトル。
【請求項６】
前記各コア片は、軟磁性粉末を含む圧粉成形体、又は樹脂中に軟磁性粉末が分散された複合材料のいずれか一方で構成されている請求項１から請求項５のいずれか１項に記載のリアクトル。
【発明の詳細な説明】
【技術分野】
【０００１】
本開示は、リアクトルに関する。
【背景技術】
【０００２】
特許文献１のリアクトルは、コイルと磁性コアと内側樹脂部とを備える。コイルは、一対の巻回部を有する。磁性コアは、各巻回部の内部に配置される内側コア部と、巻回部の外部に配置される外側コア部とを有する。各コア部は、磁性粉末を含む圧粉成形体、又は樹脂中に軟磁性粉末が分散された複合材料で構成されている。内側樹脂部は、巻回部の内周面と内側コア部の外周面との間に充填される。
【０００３】
このリアクトルの製造は、コイルと磁性コアとを組み合わせた組合体に対して、外側コア部の外方側（内側コア部とは反対側）から巻回部と内側コア部との間に内側樹脂部の構成樹脂を充填することで行われている。外側コア部の外方側から巻回部と内側コア部との間に内側樹脂部の構成樹脂を充填し易くするために、外側コア部には、その内側コア部側（内方側）とその反対側（外方側）とに開口する貫通孔が形成されている。
【先行技術文献】
【特許文献】
【０００４】
【特許文献１】特開２０１７−２１２３４６号公報
【発明の概要】
【発明が解決しようとする課題】
【０００５】
コイルと内側コア部との間の隙間を小さくすることが望まれている。内側コア部の大きさを一定とすれば、コイルの大きさを小さくできるので、リアクトルを小型化できるからである。或いは、コイルの大きさを一定とすれば、内側コア部の磁路面積を大きくできるので、磁気特性を向上できるからである。
【０００６】
上記隙間を小さくすれば、コイルと磁性コアとを組み合わせた組合体に対して、外側コア部の外方側から内側樹脂部の構成樹脂を巻回部と内側コア部との間に充填し難くなる。構成樹脂を充填し易くするためには、構成樹脂の充填圧力や保圧力を高める必要がある。外側コア部は、構成樹脂の充填経路の途中に配置される。そのため、構成樹脂の充填圧力や保圧力を高めれば、構成樹脂との接触による外側コア部への負荷が大きくなる。大きな負荷が外側コア部へ作用すると、外側コア部が割れるなど損傷する虞がある。
【０００７】
そこで、コイルと内側コア部との間の隙間が小さくても、その隙間に樹脂が十分に充填されたリアクトルを提供することを目的の一つとする。
【課題を解決するための手段】
【０００８】
本開示に係るリアクトルは、
巻線を巻回してなる巻回部を有するコイルと、
前記巻回部の内部に配置される内側コア部と、前記巻回部の外部に配置される外側コア部とを有する磁性コアと、
前記巻回部の内周面と前記内側コア部の外周面との間に充填される内側樹脂部と、を備えるリアクトルであって、
前記外側コア部における前記内側コア部に面する側を内方側とし、前記内方側との反対側を外方側とし、その内外方向と前記外側コア部内に励磁される磁束の方向の両方向に直交する方向を上下方向とするとき、
前記外側コア部は、前記上下方向に交差する分割面を介して、前記上下方向に連結される複数のコア片を有し、
前記内側コア部は、前記内外方向の一端側の面から他端側の面に向かって抜ける分割面を有さない。
【発明の効果】
【０００９】
上記リアクトルは、コイルと内側コア部との間の隙間が小さくても、その隙間に樹脂を十分に充填させられる。
【図面の簡単な説明】
【００１０】
【図１】実施形態１に係るリアクトルの概略を示す全体斜視図である。
【図２】図１の（ＩＩ）−（ＩＩ）切断線で切断したリアクトルの概略を示す断面図である。
【図３】実施形態１に係るリアクトルに備わる組合体の一部を示す部分分解斜視図である。
【図４】実施形態１に係るリアクトルに備わる組合体を外側コア部の外方側から見た概略を示す正面図である。
【図５】実施形態２に係るリアクトルに備わる組合体を外側コア部の外方側から見た概略を示す正面図である。
【図６】実施形態３に係るリアクトルに備わる組合体を外側コア部の外方側から見た概略を示す正面図である。
【図７】実施形態４に係るリアクトルに備わる組合体を外側コア部の外方側から見た概略を示す正面図である。
【図８】実施形態５に係るリアクトルに備わる外側コア部の分割形態の概略を示す斜視図である。
【図９】実施形態６に係るリアクトルに備わる外側コア部の分割形態の概略を示す斜視図である。
【発明を実施するための形態】
【００１１】
《本開示の実施形態の説明》
本発明者は、コイルと磁性コアとを組み合わせた組合体に対して、外側コア部の外方側から巻回部と内側コア部との間に内側樹脂部の構成樹脂を充填する際の充填圧力や保圧力を高くした。その結果、外側コア部は、上下方向に分割するように割れる（以下、単に外側コア部の割れということがある）場合があることが分かった。上下方向とは、外側コア部における内側コア部に面する側を内方側とし、内方側との反対側を外方側とし、その内外方向と外側コア部内に励磁される磁束の方向の両方向に直交する方向をいう。特に、特許文献１のように外側コア部に内側樹脂部の構成樹脂の充填経路となる貫通孔を設けた場合には、外側コア部が割れ易いことが分かった。外側コア部は、圧粉成形体や複合材料で構成される。これらの材質は、曲げ応力や引張応力に弱い。充填時の内側樹脂部の構成樹脂との接触によって外側コア部に大きな曲げ応力が作用したり、貫通孔内に充填された樹脂が貫通孔の内面を外側に押し広げることで外側コア部に大きな引張応力が作用したりするからだと考えられる。
【００１２】
本発明者は、上記充填圧力や上記保圧力を高くしても、外側コア部の割れを抑制することを鋭意検討した。その結果、外側コア部に上下方向に分断する分断面を形成して外側コア部を上下方向に分割することで、上記充填圧力や上記保圧力を高くしても外側コア部の割れを抑制できる、との知見を得た。
【００１３】
本開示は、これらの知見に基づくものである。最初に本開示の実施態様を列記して説明する。
【００１４】
（１）本開示の一形態に係るリアクトルは、
巻線を巻回してなる巻回部を有するコイルと、
前記巻回部の内部に配置される内側コア部と、前記巻回部の外部に配置される外側コア部とを有する磁性コアと、
前記巻回部の内周面と前記内側コア部の外周面との間に充填される内側樹脂部と、を備えるリアクトルであって、
前記外側コア部における前記内側コア部に面する側を内方側とし、前記内方側との反対側を外方側とし、その内外方向と前記外側コア部内に励磁される磁束の方向の両方向に直交する方向を上下方向とするとき、
前記外側コア部は、前記上下方向に交差する分割面を介して、前記上下方向に連結される複数のコア片を有し、
前記内側コア部は、前記内外方向の一端側から他端側に向かって抜ける分割面を有さない。
【００１５】
上記の構成によれば、コイルと内側コア部との間の隙間が小さくても、その隙間に内側樹脂部の構成樹脂を十分に充填させられる。コイルと磁性コアとを組み合わせた組合体に対して、外側コア部の外方側から巻回部と内側コア部との間に内側樹脂部の構成樹脂を充填して内側樹脂部を形成する際、上記構成樹脂の充填圧力や保圧力を高められるからである。上記充填圧力や上記保圧力を高めても、外側コア部が上下方向に交差する分割面を有することで、各コア片が分割面を挟んで個別に挙動できる。そのため、充填時の内側樹脂部の構成樹脂との接触などにより外側コア部に作用する負荷を緩和させられる。よって、外側コア部が上下方向に分割するように割れることを抑制できる。
【００１６】
また、内側コア部が内外方向の一端側から他端側に向かって抜ける分割面を有さないことで、磁気特性の低下を抑制できる。内側コア部が上記分割面を有していれば、内側樹脂部の形成時、内側樹脂部の構成樹脂との接触に伴って内側コア部が上記内外方向へズレる虞がある。しかし、内側コア部が上記分割面を有さない。即ち、内側コア部は、上下方向、及び左右方向のいずれにも分割されていない。左右方向とは、内側コア部の上下方向と内側コア部内の磁束の方向（内外方向）との両方向に直交する方向をいう。そのため、内側樹脂部の形成時における内側コア部の上記内外方向へのズレの心配がないからである。
【００１７】
更に、コイルと内側コア部との間の隙間を小さくできる。上述のように、コイルと内側コア部との間の隙間が小さくても、その隙間に内側樹脂部の構成樹脂を十分に充填させられるからである。そのため、内側コア部の大きさを一定とすれば、コイルの大きさを小さくできるので、リアクトルの小型化を図れる。或いは、コイルの大きさを一定とすれば、内側コア部の磁路面積を大きくできるので、磁気特性の向上を図れる。
【００１８】
（２）上記リアクトルの一形態として、
前記外側コア部の前記分割面は、前記内外方向に平行な面を有することが挙げられる。
【００１９】
上記の構成によれば、分割面が外側コア部の上下方向に交差し、かつ外側コア部の内外方向に交差する面（非平行な面）を有する場合に比較して、コイルと内側コア部との間の隙間が小さくても、その隙間に内側樹脂部の構成樹脂を十分に充填させ易い。分割面が樹脂の充填方向に平行であると、非平行である場合に比較して、コア片同士を互いに分離する方向に挙動させ易い。そのため、上記充填圧力や上記保圧力を高めても、充填時の内側樹脂部の構成樹脂との接触などにより外側コア部に作用する負荷を緩和し易いからである。即ち、外側コア部の割れを抑制し易いからである。
【００２０】
（３）上記リアクトルの一形態として、
前記外側コア部の前記分割面は、前記上下方向に直交する面を有することが挙げられる。
【００２１】
上記の構成によれば、分割面が外側コア部の上下方向に非直交に交差し、かつ内外方向に平行な面を有する場合に比較して、コイルと内側コア部との間の隙間が小さくても、その隙間に内側樹脂部の構成樹脂を十分に充填させ易い。分割面が上下方向に直交であると、非直交に交差する場合に比較して、コア片同士を互いに分離する方向に挙動させ易い。そのため、上記充填圧力や上記保圧力を高めても、充填時の内側樹脂部の構成樹脂との接触などにより外側コア部に作用する負荷を緩和し易いからである。即ち、外側コア部の割れを抑制し易いからである。
【００２２】
（４）上記リアクトルの一形態として、
前記外側コア部は、前記内外方向に貫通する孔部を有し、
前記外側コア部の前記分割面は、前記孔部を前記上下方向に分断することが挙げられる。
【００２３】
上記の構成によれば、コイルと内側コア部との間の隙間が小さくても、その隙間に内側樹脂部の構成樹脂を十分に充填させ易い。孔部を有していても上記充填圧力や上記保圧力を高められるからである。外側コア部の分割面が孔部を上下方向に分断することで、上記充填圧力や上記保圧力を高めても、孔部内に充填された内側樹脂部の構成樹脂が孔部の内面を外側に押し広げることで外側コア部に作用する引張応力を緩和し易い。即ち、孔部を有していても外側コア部の割れを抑制し易い。
【００２４】
（５）上記孔部を有する上記リアクトルの一形態として、
前記孔部内に充填される中間樹脂部と、
前記外側コア部の外側を覆う外側樹脂部とを有し、
前記内側樹脂部と前記外側樹脂部とが前記中間樹脂部を介して連結されていることが挙げられる。
【００２５】
上記の構成によれば、中間樹脂部を備えることで、孔部を封止できる。そのため、孔部を通ってコイルと内側コア部との間への水滴などの侵入を防止し易い。また、外側樹脂部を備えることで、外側コア部を外部環境から保護し易い。更に、内側樹脂部と外側樹脂部とが孔部内の中間樹脂部を介して連結されていることで、リアクトル（磁性コア）の機械的強度を高められる。
【００２６】
また、上記の構成によれば、リアクトルの生産性に優れる。内側樹脂部と外側樹脂部とが孔部内の中間樹脂部を介して連結されている。この内側樹脂部と中間樹脂部と外側樹脂部とは、１回の成形によって形成できる。即ち、内側樹脂部に加えて中間樹脂部と外側樹脂部とを有するにも関わらず、１回の樹脂成形にて得ることができる。
【００２７】
（６）上記リアクトルの一形態として、
前記各コア片は、軟磁性粉末を含む圧粉成形体、又は樹脂中に軟磁性粉末が分散された複合材料のいずれか一方で構成されていることが挙げられる。
【００２８】
上記の構成によれば、上記充填圧力や上記保圧力が高いと割れ易い圧粉成形体や複合材料でコア片が構成されていても、外側コア部が分割面を備えることで外側コア部の割れを抑制し易い。
【００２９】
圧粉成形体は、複合材料に比較して、コア片に占める軟磁性粉末の割合を高くできる。そのため、磁気特性（比透磁率や飽和磁束密度）を高め易い。
【００３０】
複合材料は、樹脂中の軟磁性粉末の含有量を容易に調整できる。そのため、磁気特性（比透磁率や飽和磁束密度）を調整し易い。その上、圧粉成形体に比較して、複雑な形状でも形成し易い。
【００３１】
《本開示の実施形態の詳細》
本開示の実施形態の詳細を、以下に図面を参照しつつ説明する。図中の同一符号は同一名称物を示す。
【００３２】
《実施形態１》
〔リアクトル〕
図１〜図４を参照して、実施形態１に係るリアクトル１を説明する。リアクトル１は、コイル２と磁性コア３とを組み合わせた組合体１０と内側樹脂部５とを備える。コイル２は、巻線２１１，２２１を巻回してなる巻回部２１，２２を有する。磁性コア３は、内側コア部３１と外側コア部３２とを有する。内側コア部３１は、巻回部２１，２２の内部に配置される。外側コア部３２は、巻回部２１，２２の外部に配置される。内側樹脂部５は、巻回部２１，２２の内周面と内側コア部３１の外周面との間に充填される。リアクトル１の特徴の一つは、内側コア部３１が特定の分割面を有さない点と、外側コア部３２が特定の分割面３２２を介して特定の方向に連結される複数のコア片３２１を有する点と、にある。以下、リアクトル１の主たる特徴部分、特徴部分に関連する部分の構成、及び主要な効果を順に説明する。その後、各構成を詳細に説明する。最後に、リアクトル１の製造方法を説明する。図３では、説明の便宜上、組合体１０の一部の構成（図１の巻回部２１など）を省略している。
【００３３】
［主たる特徴部分及び関連する部分の構成］
（コイル）
コイル２は、一対の巻回部２１，２２を備える（図１）。各巻回部２１，２２は、別々の巻線２１１，２２１を螺旋状に巻回してなる。本例の各巻回部２１，２２における隣り合うターン同士は、接触している。なお、巻回部２１，２２における隣り合うターン同士は、後述する内側樹脂部５が隣り合うターン同士の間から漏れ出ない程度に隣り合うターン同士の間が狭ければ、接触していなくてもよい。一対の巻回部２１，２２は、互いに電気的に接続されている。巻線２１１，２２１の詳細と電気的な接続の仕方とは後述する。各巻回部２１，２２は、中空の筒状体である。本例の各巻回部２１，２２の形状は角筒状である。角筒状とは、各巻回部２１，２２の端面形状が矩形状（正方形状を含む）の角を丸めた形状を言う。各巻回部２１，２２の大きさは、互いに同一である。各巻回部２１，２２の巻数は互いに同一数である。各巻回部２１，２２の巻回方向は、同一方向である。なお、各巻回部２１，２２の巻線２１１，２２１の断面積や巻数が互いに異なっていてもよい。各巻回部２１，２２の配置は、各軸方向が平行するように横並び（並列）した状態としている。
【００３４】
（磁性コア）
磁性コア３は、一対の内側コア部３１と、一対の外側コア部３２とを備える。各内側コア部３１は、各巻回部２１，２２の内部に配置される。内側コア部３１とは、磁性コア３のうち、巻回部２１，２２の軸方向に沿った部分を意味する。本例では、磁性コア３のうち、巻回部２１，２２の軸方向に沿った部分の両端部が巻回部２１，２２の外側に突出しているが、その突出する部分も内側コア部３１の一部である。外側コア部３２は、各巻回部２１，２２の外部に配置される。即ち、外側コア部３２は、コイル２が配置されず、コイル２から突出（露出）される。磁性コア３は、離間して配置される内側コア部３１を挟むように外側コア部３２が配置され、内側コア部３１の端面と外側コア部３２の内端面とを接触させて環状に形成される。これら内側コア部３１及び外側コア部３２により、コイル２を励磁したとき、閉磁路を形成する。
【００３５】
〈外側コア部〉
外側コア部３２の形状は、本例では略ドーム形状の上面と下面を有する柱状体である（図１，図３）。なお、外側コア部３２の形状は、直方体状などでもよい。外側コア部３２における内側コア部３１に面する側を内方側とし、内方側との反対側を外方側とする。外側コア部３２の内外方向と外側コア部３２内の磁束の方向との両方向に直交する方向を上下方向（高さ方向）とする。外側コア部３２内の磁束の方向とは、一対の巻回部２１，２２の並列方向に沿った方向（図４紙面左右方向）とする。外側コア部３２の高さは、内側コア部３１よりも大きい（図２）。外側コア部３２の上面は、内側コア部３１の上面と略面一である。外側コア部３２の下面は、コイル２の下面と略面一である。なお、外側コア部３２の高さは、内側コア部３１と同じ高さでもよい。
【００３６】
・分割面
各外側コア部３２は、複数の柱状のコア片３２１を有する（図３，図４）。複数のコア片３２１は、上下方向に交差する分割面３２２を介して連結される。即ち、分割面３２２は、外側コア部３２を上下方向に分割する。複数のコア片３２１同士の連結は、本例では後述する外側樹脂部７により行われる。この分割面３２２は、外側コア部３２における外方側から内方側に向かって抜ける面である。図１〜図４では、説明の便宜上、分割面３２２を誇張して示している。コア片３２１同士は、実質的に隙間なく直接接触していることが好ましい。但し、磁気特性にあまり影響を与えない程度であれば、後述する内側樹脂部５の一部がコア片３２１同士の間に介在されることを許容する。これらの点は、後述する図５から図７でも同様である。コア片３２１は、圧粉成形体、又は複合材料で構成される。コア片３２１の材質は後述する。
【００３７】
外側コア部３２が分割面３２２を有することで、巻回部２１，２２と内側コア部３１との間の隙間が小さくても、その隙間に内側樹脂部５の構成樹脂を十分に充填させられる。組合体１０に対して、外側コア部３２の外方側から巻回部２１，２２と内側コア部３１との間に内側樹脂部５の構成樹脂を充填して内側樹脂部５を形成する際、内側樹脂部５の構成樹脂の充填圧力や保圧力を高められるからである。上記充填圧力や上記保圧力を高めても、外側コア部３２が分割面３２２を有することで、充填時の内側樹脂部５の構成樹脂との接触などにより外側コア部３２に作用する負荷を緩和させられる。各コア片３２１が独立して挙動できるからである。そのため、外側コア部３２が上下方向に分割するように割れる（以下、単に外側コア部３２の割れということがある）ことを抑制できる。
【００３８】
各外側コア部３２の分割面の数、及びコア片３２１の数は、適宜選択できる。本例の分割面３２２の数は、一つである。即ち、本例のコア片３２１の数は、二つである。なお、分割面３２２の数は、二つ以上とすることもできる。即ち、コア片３２１の数は、三つ以上とすることもできる。
【００３９】
外側コア部３２の上下方向に交差して複数のコア片３２１を上下方向に分割する分割面３２２としては、以下の（１）又は（２）の形態が挙げられる。
（１）外側コア部３２の内外方向に交差する面（非平行な面）を有する。即ち、分割面３２２は、外側コア部３２の上下方向に交差し、かつ外側コア部３２の内外方向に交差する面（非平行な面）を有する。
（２）外側コア部３２の内外方向に平行な面を有する。即ち、分割面３２２は、外側コア部３２の上下方向に交差し、かつ外側コア部３２の内外方向に平行な面を有する。
【００４０】
上記（１）の形態とする場合、分割面３２２の横断面形状は、折れ線形状、湾曲状、傾斜状、などが挙げられる。折れ線形状としては、Ｖ字状、Ｎ字状、Ｗ字状などが挙げられる。湾曲状としては、円弧状、Ｓ字状、正弦波状などが挙げられる。分割面３２２の横断面形状とは、外側コア部３２内の磁束の方向（一対の巻回部２１，２２の並列方向）に直交する面を切断面としたとき、切断面に分割面３２２の縁で表される線の形状を言う。中でも、分割面３２２の横断面形状がＶ字状、Ｎ字状、Ｗ字状、湾曲状であれば、上下方向のコア片３２１同士を分割面３２２の凹凸で嵌め合わせることができる。そのため、コア片３２１同士の位置決めを行い易い。外側コア部３２の上記切断面において、分割面３２２の各端部は、外側コア部３２の左右の各辺に交差している。
【００４１】
分割面３２２は、上記（２）の形態を満たすことが好ましい。分割面３２２が上記（１）の形態を満たす場合に比較して、巻回部２１，２２と内側コア部３１との間の隙間が小さくても、その隙間に内側樹脂部５の構成樹脂を十分に充填させ易いからである。内側樹脂部５の形成時の上記充填圧力や上記保圧力を高めても、分割面３２２が上記（１）の形態を満たす場合に比較して、充填時の内側樹脂部５の構成樹脂との接触などにより外側コア部３２に作用する負荷を緩和し易い。分割面３２２が樹脂の充填方向に平行であると、非平行である場合に比較して、コア片３２１同士を互いに分離する方向に挙動させ易いからである。即ち、外側コア部３２の割れを抑制し易い。
【００４２】
上記（２）の形態としては、以下の（２−１）〜（２−３）のいずれかの形態が挙げられる。
（２−１）外側コア部３２の上下方向に非直交に交差する面を有する。即ち、分割面３２２は、外側コア部３２の上下方向に非直交に交差し、かつ外側コア部３２の内外方向に平行な面を有する。この分割面３２２は、外側コア部３２内の磁束に交差する面である。
（２−２）外側コア部３２の上下方向に直交する面を有する。この直交する面は、外側コア部３２の内外方向に平行な面である。即ち、分割面３２２は、外側コア部３２内の磁束に平行な面である。
（２−３）外側コア部３２の上下方向に非直交に交差する面と、外側コア部３２の上下方向に直交する面とを有する。即ち、外側コア部３２の上下方向に非直交に交差し、かつ外側コア部３２の内外方向に平行な面と、外側コア部３２の上下方向に直交する面とを有する。
【００４３】
分割面３２２は、上記（２−２）の形態を満たすことが好ましい。分割面３２２が上記（２−１）、（２−３）の形態を満たす場合に比較して、巻回部２１，２２と内側コア部３１との間の隙間が小さくても、その隙間に内側樹脂部５の構成樹脂を十分に充填させ易いからである。内側樹脂部５の形成時の上記充填圧力や上記保圧力を高めても、分割面３２２が上記（２−１）、（２−３）の形態を満たす場合に比較して、充填時の内側樹脂部５の構成樹脂との接触などにより外側コア部３２に作用する負荷を緩和し易い。即ち、外側コア部の割れを抑制し易い。
【００４４】
上記（２−１）の形態とする場合、分割面３２２の縦断面形状は、折れ線形状、湾曲状、傾斜状などが挙げられる。折れ線形状としては、Ｖ字状、Ｎ字状、Ｗ字状などが挙げられる。湾曲状としては、円弧状、Ｓ字状、正弦波状などが挙げられる。分割面３２２の縦断面形状とは、外側コア部３２の上下方向及び外側コア部３２内の磁束の方向（一対の巻回部２１，２２の並列方向）との両方向に平行な面を切断面としたとき、切断面に分割面３２２の縁で表される線の形状を言う。中でも、分割面３２２の縦断面形状がＶ字状、Ｎ字状、Ｗ字状、湾曲状であれば、上下方向のコア片３２１同士を分割面３２２の凹凸で嵌め合わせることができる。そのため、コア片３２１同士の位置決めを行い易い。外側コア部３２の上記切断面において、分割面３２２の各端部は、外側コア部３２の左右の各辺に交差していてもよいし、外側コア部３２の上辺、下辺、上側の角部、及び下側の角部のいずれかに交差していてもよい。
【００４５】
上記（２−２）の形態とする場合、分割面３２２の縦断面形状は、平面状が挙げられる。この場合、分割面３２２が磁路に交差せず平行であるため、磁気特性に優れる。
【００４６】
上記（２−３）の形態とする場合、分割面３２２は、例えば、次の組み合わせが挙げられる。外側コア部３２を磁路の方向に三分割して、分割面３２２を中央の分割面３２３と、左側の分割面３２４と、右側の分割面３２５とする。中央の分割面３２３は、外側コア部３２の上下方向に非直交に交差し、かつ外側コア部３２の内外方向に平行な面、例えばＶ字状の面で構成する。左側の分割面３２４と右側の分割面３２５とは、外側コア部３２の上下方向に直交する面で構成する。或いは、左側の分割面３２４と右側の分割面３２５とは、外側コア部３２の上下方向に非直交に交差し、かつ外側コア部３２の内外方向に平行な面、例えば傾斜状の面で構成する。中央の分割面３２３は、外側コア部３２の上下方向に直交する面で構成する。
【００４７】
本例の分割面３２２は、上記（２−２）の形態としている。即ち、外側コア部３２の上下方向に直交する面で構成されている。分割面３２２の縦断面形状は、平面状である。
【００４８】
分割面３２２の上下方向の形成位置は、外側コア部３２が本例のように後述する孔部３５を有する場合、孔部３５を分断する位置が好ましい。孔部３５に充填された樹脂が孔部３５の内周面を外側に押し広げることで、外側コア部３２に大きな引張応力が作用する。しかし、分割面３２２が孔部３５を分断することで、各コア片３２１が個別に挙動できるため、孔部３５の内周面を押し広げる力を緩和させられる。即ち、外側コア部３２に作用する引張応力を低減できる。よって、内側樹脂部５の形成時の構成樹脂の充填に伴う外側コア部３２の損傷を抑制し易い。分割面３２２の上下方向の形成位置は、本例では、孔部３５の上下方向の中心を分断する位置としている。
【００４９】
分割面３２２は、孔部３５同士の間に設けられる中央の分割面３２３と、孔部３５よりも外側に設けられる左側の分割面３２４と右側の分割面３２５とを有する。本例では、中央の分割面３２３と左側の分割面３２４と右側の分割面３２５とが、同一平面上に位置する。なお、後述する実施形態２に説明するが、中央の分割面３２３と左側の分割面３２４と右側の分割面３２５の少なくとも一つの分割面が他の分割面と異なる平面上に位置してもよい。
【００５０】
・孔部
外側コア部３２は、外側コア部３２の内外方向に貫通する孔部３５を有する。即ち、孔部３５の開口部は、外側コア部３２の外方側の面と内方側の面とに形成されている。孔部３５は、内側樹脂部５の形成時、内側樹脂部５の構成樹脂を巻回部２１，２２の内部に充填する充填経路となる。孔部３５の数は、適宜選択でき、単数でもよいし複数でもよい。本例の孔部３５の数は、二つとしている。
【００５１】
各孔部３５の内方側の開口部は、巻回部２１，２２の内周面と内側コア部３１の外周面との間の隙間ｈ１に臨む位置に開口している。この隙間ｈ１は、各巻回部２１，２２の内周面と各内側コア部３１の外周面との間の筒状の空間のうち、各巻回部２１、２２における並列方向の中央部寄りの内周面と、各巻回部２１，２２の内部に配置される内側コア部３１との間の隙間である。各孔部３５の内方側の開口部が隙間ｈ１に開口することで、内側樹脂部５の形成時、巻回部２１，２２の内部に確実に内側樹脂部５の構成樹脂を充填できる。
【００５２】
各孔部３５の大きさは、外側コア部３２の磁路を狭め過ぎない程度に適宜選択できる。例えば、外側コア部３２の上下方向に沿った各孔部３５の長さは、外側コア部３２の上下方向の長さ（高さ）の１０％以上５０％以下の長さが好ましい。各孔部３５の上記長さが外側コア部３２の高さの１０％以上であれば、内側樹脂部５の構成樹脂の充填経路にし易い。各孔部３５の上記長さが外側コア部３２の高さの５０％以下であれば、外側コア部３２の磁路を狭め過ぎない。各孔部３５の上記長さの下限値は、外側コア部３２の高さの２０％以上とすることができ、更には２５％以上とすることができる。各孔部３５の上記長さの上限値は、外側コア部３２の高さの４０％以下とすることができ、更には３０％以下とすることができる。一方、各孔部３５の磁路方向に沿った長さ（幅）の長短は、外側コア部３２の磁気特性及び強度に影響を与える。そのため、各孔部３５の上記長さ（幅）は、外側コア部３２の磁気特性及び強度が低下しない程度に適宜選択できる。
【００５３】
各孔部３５の外方側の開口部の縁部は、面取りされていることが好ましい。上記縁部を面取りすることで、外側コア部３２の外方側から両孔部３５を介して巻回部２１，２２の内部に樹脂を充填するとき、両孔部３５に樹脂が流入し易くなる。面取りとしては、Ｒ面取りやＣ面取りが挙げられる。
【００５４】
〈内側コア部〉
各内側コア部３１の形状は、巻回部２１，２２の内周形状に合わせた形状とすることが好ましい。ここでは、内側コア部３１の形状は、直方体状である。この内側コア部３１の角部は、巻回部２１，２２の内周面に沿うように丸めている。
【００５５】
各内側コア部３１は複数の柱状のコア片３１１を有する（図２）。内側コア部３１における外側コア部３２の上下方向に沿った方向を上下方向とする。内側コア部３１の上下方向と内側コア部３１内の磁束の方向との両方向に直交する方向を左右方向とする。内側コア部３１内の磁束の方向は、巻回部２１，２２の軸方向に沿った方向とする。複数のコア片３１１は、内側コア部３１内の磁束の方向に交差する分割面であって、内側コア部３１の上面から下面（左側面から右側面）に抜ける分割面を介して連結される。即ち、分割面は、内側コア部３１を磁束の方向に分割する。
【００５６】
各内側コア部３１におけるコア片３１１の数は、適宜選択できる。本例のコア片３１１の数は、三つである。上記分割面の数は、二つである。本例の各分割面は、内側コア部３１内の磁束に直交している。即ち、各コア片３１１の形状は、互いに同一の角柱状である。
【００５７】
隣り合うコア片３１１同士は、直接連結されておらず、ギャップ３１２を介して連結されている。また、コア片３１１と外側コア部３２とは、直接連結されておらず、ギャップ３１３を介して連結されている。即ち、各内側コア部３１は、コア片３１１とギャップ３１２、３１３とがコイル２の軸方向（内側コア部３１内の磁束方向）に沿って積層配置された積層体で構成している。コア片３１１は、圧粉成形体、又は複合材料で構成される。コア片３１１とギャップ３１２，３１３の材質は後述する。
【００５８】
各内側コア部３１は、内側コア部３１内の磁束に沿った方向の一端側の面から他端側の面に抜ける分割面を有さない。内側コア部３１内の磁束に沿った方向の一端側の面と他端側の面とは、本例では磁束に直交する面である。即ち、この分割面は、内側コア部３１を上下方向、又は左右方向に分割する面である。この分割面を有さないとは、内側コア部３１は、上下方向、及び左右方向のいずれにも分割されていない。即ち、内側コア部３１は、上下方向、及び左右方向に分割された複数のコア片を有していない。内側コア部３１が上記分割面を有さないことで、磁気特性の低下を抑制できる。内側樹脂部５の形成時、内側樹脂部５の構成樹脂との接触に伴って内側コア部３１が上記内外方向へズレないからである。
【００５９】
なお、各内側コア部３１は、いずれの分割面も有さない一つの柱状のコア片で構成してもよい。このコア片は、ギャップを介さず、巻回部２１，２２の軸方向の略全長の長さを有する。
【００６０】
（内側樹脂部）
内側樹脂部５は、図２に示すように、巻回部２２の内周面と内側コア部３１（コア片３１１）の外周面とを接合する。図示は省略しているが、巻回部２１（図１）側でも同様である。内側樹脂部５は、各巻回部２１，２２の内周面と各内側コア部３１の外周面との間の筒状の空間に介在される。この筒状の空間の略全域に亘って内側樹脂部５が形成されている。
【００６１】
本例の内側樹脂部５は、各巻回部２１，２２の内部に留まり、ターン同士の間から各巻回部２１，２２の外周に溢れ出ていない。本例のように各巻回部２１，２２における隣り合うターン同士が接触している場合や隣り合うターン同士が接触せず隣り合うターン同士の間が十分に狭い場合、各巻回部２１，２２が後述する一体化樹脂を有する場合には、内側樹脂部５の一部がターン同士の間から各巻回部２１，２２の外周に溢れ難くできる。本例の内側樹脂部５の一部は、内側コア部３１におけるコア片３１１同士の間と、コア片３１１と外側コア部３２との間とに入り込み、ギャップ３１２，３１３を形成している。
【００６２】
内側樹脂部５の内部には、大きな空隙が殆ど形成されておらず、更には小さな空隙も殆ど形成されていない。上述したように、外側コア部３２が分割面３２２を備えることで、内側樹脂部５の形成時の上記充填圧力や上記保圧力を高められるからである。そのため、巻回部２１，２２の内部には十分な樹脂を充填できる。よって、巻回部２１，２２の内部に形成される内側樹脂部５に大きな空隙ができ難い。空隙が少ない内側樹脂部５は強度に優れる。そのため、リアクトル１の使用時の振動などによって内側樹脂部５が損傷し難い。よって、リアクトル１の動作が安定する。
【００６３】
内側樹脂部５の材質には、例えば、熱硬化性樹脂や熱可塑性樹脂が利用できる。熱硬化性樹脂は、例えば、エポキシ樹脂、フェノール樹脂、シリコーン樹脂、ウレタン樹脂などが挙げられる。熱可塑性樹脂は、例えば、ポリフェニレンスルフィド（ＰＰＳ）樹脂、ポリアミド（ＰＡ）樹脂（例えば、ナイロン６、ナイロン６６、ナイロン９Ｔなど）、液晶ポリマー（ＬＣＰ）、ポリイミド樹脂、フッ素樹脂などが挙げられる。これらの樹脂には、セラミックスフィラーを含有させてもよい。セラミックスフィラーは、アルミナやシリカなどが挙げられる。セラミックスフィラーを含有すれば、内側樹脂部５の放熱性を向上させられる。
【００６４】
［リアクトルの主たる特徴部分における作用効果］
実施形態１に係るリアクトル１は、以下の効果を奏することができる。
【００６５】
（１）各巻回部２１，２２と各内側コア部３１との間の隙間が小さくても、その隙間に内側樹脂部５の構成樹脂を十分に充填させられる。内側樹脂部５の形成時の上記充填圧力や上記保圧力を高められるからである。上記充填圧力や上記保圧力を高めても、外側コア部３２が上下方向に直交する分割面３２２を有することで、充填時の内側樹脂部５の構成樹脂との接触などにより外側コア部３２に作用する負荷を緩和させられる。特に、分割面３２２が孔部３５を上下方向に分断することで、孔部３５内に充填された内側樹脂部５の構成樹脂が孔部３５の内面を外側に押し広げることで外側コア部３２に作用する引張応力を緩和し易い。そのため、外側コア部３２が上下方向に分割するように割れることを抑制できる。
【００６６】
（２）巻回部２１，２２と内側コア部３１との間の隙間を小さくできる。上記（１）のように、巻回部２１，２２と内側コア部３１との間の隙間が小さくても、その隙間に内側樹脂部５の構成樹脂を十分に充填させられるからである。そのため、内側コア部３１の大きさを一定とすれば、コイル２の大きさを小さくできるので、リアクトル１の小型化を図れる。或いは、コイル２の大きさを一定とすれば、内側コア部３１の磁路面積を大きくできるので、磁気特性の向上を図れる。
【００６７】
［その他の特徴部分を含む各構成の説明］
（コイル）
コイル２の各巻回部２１，２２を構成する巻線２１１，２２１は、導体線の外周に絶縁被覆を備える被覆線を利用できる。導体線の材質は、銅やアルミニウム、マグネシウム、或いはその合金が挙げられる。導体線の種類は、平角線や丸線が挙げられる。絶縁被覆は、エナメル（代表的にはポリアミドイミド）などが挙げられる。本例の各巻線２１１，２２１には、導体線が銅製の平角線からなり、絶縁被覆がエナメル（代表的にはポリアミドイミド）からなる被覆平角線を用いている。この被覆平角線をエッジワイズ巻きしたエッジワイズコイルで各巻回部２１，２２を構成している。
【００６８】
各巻線２１１，２２１の両端部２１５，２２５は、コイル２の軸方向の両端で上方へ引き伸ばされている。各巻線２１１，２２１の両端部２１５，２２５は、絶縁被覆が剥がされて導体が露出している。コイル２の軸方向の一端側（図１紙面右側）における端部２１５，２２５の導体同士は、直接接続されている。具体的には、巻回部２２の巻線２２１の端部２２５側を曲げて、巻回部２１の巻線２１１の端部２１５側に引き伸ばして接続している。なお、この導体同士の接続は、一対の巻回部２１，２２とは独立する接続部材を介して行ってもよい。連結部材は、例えば、巻線２１１，２２１と同一部材で構成する。この接続は、溶接や圧接で行える。一方、コイル２の軸方向の他端側（図１紙面左側）における端部２１５，２２５の導体は、端子部材（図示略）が接続される。コイル２は、この端子部材を介してコイル２に電力供給を行なう電源などの外部装置（図示略）が接続される。
【００６９】
各巻回部２１，２２は、一体化樹脂（図示略）によって個別に一体化されていてもよい。一体化樹脂は、各巻回部２１，２２の外周面、内周面、及び端面を覆うと共に、隣り合うターン同士を接合する。一体化樹脂は、巻線２１１、２２１の外周（絶縁被覆のさらに外周）に形成される熱融着樹脂の被覆層を有するものを利用し、巻線２１１，２２１を巻回した後、加熱して被覆層を溶融することで形成できる。熱融着樹脂の種類は、例えば、エポキシ樹脂、シリコーン樹脂、不飽和ポリエステルなどの熱硬化性樹脂が挙げられる。
【００７０】
なお、コイル２に備わる一対の巻回部２１，２２は、一本の巻線で形成することもできる。巻回部２１，２２の形状は円筒状でもよい。円筒状とは、各巻回部２１，２２の端面形状が楕円形状や真円形状、レーストラック形状などをいう。
【００７１】
（磁性コア）
〈材質〉
内側コア部３１のコア片３１１、及び外側コア部３２のコア片３２１は、圧粉成形体、又は複合材料で構成される。圧粉成形体は、軟磁性粉末を圧縮成形してなる。圧粉成形体は、複合材料に比較して、コア片に占める軟磁性粉末の割合を高くできる。そのため、磁気特性（比透磁率や飽和磁束密度）を高め易い。複合材料は、樹脂中に軟磁性粉末が分散されてなる。複合材料は、未固化の樹脂中に軟磁性粉末を分散した流動性の素材を金型に充填し、樹脂を硬化させることで得られる。複合材料は、樹脂中の軟磁性粉末の含有量を容易に調整できる。そのため、磁気特性（比透磁率や飽和磁束密度）を調整し易い。その上、圧粉成形体に比較して、複雑な形状でも形成し易い。なお、コア片３１１，３２１は、圧粉成形体の外周が複合材料で覆われたハイブリッドコアとすることもできる。
【００７２】
軟磁性粉末を構成する粒子は、軟磁性金属の粒子や、軟磁性金属の粒子の外周に絶縁被覆を備える被覆粒子、軟磁性非金属の粒子などが挙げられる。軟磁性金属は、純鉄や鉄基合金（Ｆｅ−Ｓｉ合金、Ｆｅ−Ｎｉ合金など）などが挙げられる。絶縁被覆は、リン酸塩などが挙げられる。軟磁性非金属は、フェライトなどが挙げられる。複合材料の樹脂は、例えば、上述の内側樹脂部５と同様の樹脂が挙げられる。ギャップ３１２，３１３は、コア片３１１よりも比透磁率が小さい材料からなる。本例のギャップ３１２，３１３は、内側樹脂部５で構成されている。
【００７３】
（中間樹脂部）
リアクトル１は、中間樹脂部６を有していてもよい（図２）。中間樹脂部６は、外側コア部３２の孔部３５の内部に充填される。中間樹脂部６は、孔部３５内を封止できる。そのため、孔部３５を通ってコイル２と内側コア部３１との間への水滴などの侵入を防止し易い。中間樹脂部６は、内側樹脂部５と連結されている。この中間樹脂部６は、内側樹脂部５の形成時、孔部３５を内側樹脂部５の充填経路として利用した際に内側樹脂部５の一部が孔部３５に充填されることで形成される。即ち、中間樹脂部６と内側樹脂部５とは、同じ樹脂で一度に形成されたものである。
【００７４】
（外側樹脂部）
リアクトル１は、外側樹脂部７を有していてもよい。外側樹脂部７は、外側コア部３２を外部環境から保護する（図１，図２）。外側樹脂部７は、本例では各外側コア部３２の外周面のうち、内側コア部３１との連結面を除く領域を覆う。
【００７５】
なお、外側コア部３２の下面は、外側樹脂部７から露出していても構わない。その場合、外側コア部３２の下面を、コイル２の下面よりも下方に突出させる、或いはリアクトル１が後述する端面部材４１を備える場合には、端面部材４１の下面と略面一となるように突出させることが好ましい。リアクトル１の設置対象面に外側コア部３２の下面を直接接触させる、或いは外側コア部３２の下面とリアクトル１の設置対象面との間に接着剤や放熱シートを介在させることで、外側コア部３２を含む磁性コア３の放熱性を高められる。本例のように、後述する端面部材４１を備える場合、外側樹脂部７は、各外側コア部３２を端面部材４１に固定できる。
【００７６】
外側樹脂部７は、図２に示すように、外側コア部３２の孔部３５の中間樹脂部６を介して内側樹脂部５に連結されている。この外側樹脂部７は、内側樹脂部５の形成時に内側樹脂部５の構成樹脂で外側コア部３２の外周を合わせて覆うことで形成できる。その場合、外側樹脂部７と中間樹脂部６と内側樹脂部５とは同じ樹脂で一度に形成されたものである。なお、外側樹脂部７は、内側樹脂部５と別個に形成することもできる。
【００７７】
その他、外側樹脂部７には、固定部７１が形成されていてもよい（図１）。固定部７１は、リアクトル１を設置対象面（例えば、ケースの底面など）に固定する。この固定部７１は、外側樹脂部７の構成材料で外側樹脂部７と一体に形成されている。固定部７１の形成箇所は、リアクトル１の設置対象における取付箇所の位置に合わせて適宜選択できる。本例の固定部７１は、外側樹脂部７の外端面からコイル２の並列方向に張り出すようにフランジ状に設けられている。この固定部７１は、高剛性の金属や樹脂で構成されるカラーが埋設されている。このカラーにより、リアクトル１を設置対象面に固定する締付部材（例えば、ボルト）によるクリープ変形を抑制し易い。このカラーには、締付け部材の挿通孔が形成されている。
【００７８】
（介在部材）
組合体１０は、介在部材４を備えていてもよい（図１〜図４）。介在部材４は、コイル２と磁性コア３との間の絶縁を確保する。本例の介在部材４は、一対の端面部材４１と、内側コア部３１の数に応じた数の内側部材４２とを有する。
【００７９】
〈端面部材〉
端面部材４１は、コイル２の各端面と各外側コア部３２との間の絶縁を確保する。各端面部材４１の形状は、同一形状である。各端面部材４１は、二つの貫通孔４１０が巻回部２１，２２の並列方向に沿って設けられた枠状の板材である。各貫通孔４１０には、内側コア部３１（コア片３１１）と内側部材４２との組物が嵌め込まれる。
【００８０】
外側コア部３２を端面部材４１の凹部４１２（後述）に嵌め込んだ組物を外側コア部３２の外方側から見たとき（図４）、各貫通孔４１０の上方側と外方側とには、外側コア部３２から露出する隙間ｈ３が形成されている（図２を併せて参照）。この隙間ｈ３は、後述する端部片４３における連結部４３２の内周面と内側コア部３１（コア片３１１）の外周面との間に形成される隙間ｈ２に連通している（図２）。即ち、この隙間ｈ３は、巻回部２１，２２の内周面と内側コア部３１（コア片３１１）の外周面との間の空間に連通している。この隙間ｈ３は、内側樹脂部５の充填経路に利用できる。
【００８１】
各端面部材４１におけるコイル２側の面には、巻回部２１，２２の端面を収納する二つの凹部４１１が形成されている（図３紙面右側参照）。コイル２側の各凹部４１１は、巻回部２１，２２の端面全体を端面部材４１に面接触させる。各凹部４１１は、貫通孔４１０の周囲を囲むように矩形環状に形成されている。各凹部４１１における右辺部分は、端面部材４１の上端にまで達していて、巻回部２１，２２の端部２１５，２２５を上方に引き出せるようになっている。各端面部材４１における外側コア部３２側の面には、外側コア部３２を嵌め込むための一つの凹部４１２が形成されている（図３紙面左側参照）。
【００８２】
〈内側部材〉
内側部材４２は、各内側コア部３１の外周面と巻回部２１，２２の内周面との間の絶縁を確保する（図３）。各内側部材４２は、同一の構成を備える。本例の各内側部材４２は、各内側コア部３１ごとに一対ずつの端部片４３と、各内側コア部３１ごとに複数（本例では二つずつ）の中間片４４とを備える。
【００８３】
端部片４３は、各外側コア部３２と各コア片３１１との間に介在される。各端部片４３は、矩形枠状の部材である。各端部片４３は、当て止め部４３１と連結部４３２とを有する。当て止め部４３１は、コア片３１１を当て止めし、コア片３１１と外側コア部３２との間に所定長の離隔部を形成する。当て止め部４３１は端部片４３の四隅に設けられる。内側コア部３１の軸方向における当て止め部４３１の幅は、連結部４３２の幅よりも広い。連結部４３２は、当て止め部４３１同士を連結する。連結部４３２の外周面は、巻回部２１，２２の内周面に接触する。連結部４３２の内周面は、コア片３１１の外周面と接触せず、コア片３１１との間に隙間ｈ１、ｈ２を形成する（図２、図４）。この隙間ｈ１、ｈ２は、内側樹脂部５の充填経路となる。
【００８４】
中間片４４は、隣り合うコア片３１１同士の間に介在される。各中間片４４は、概略Ｕ字状の部材である。各中間片４４には、コア片３１１を当て止めする当て止め部４４１（図２参照）が設けられている。当て止め部４４１は、隣り合うコア片３１１同士の間に所定長の離隔部を形成する。
【００８５】
これら離隔部には、内側樹脂部５が入り込む。離隔部に入り込んだ内側樹脂部５が、ギャップ３１２，３１３（図２参照）を形成している。
【００８６】
〈材質〉
介在部材４（端面部材４１および内側部材４２）の材質は、各種の樹脂等の絶縁材料が挙げられる。樹脂としては、例えば、上述した内側樹脂部５と同様の樹脂が挙げられる。その他の熱可塑性樹脂としては、例えば、ポリテトラフルオロエチレン（ＰＴＦＥ）樹脂、ポリブチレンテレフタレート（ＰＢＴ）樹脂、アクリロニトリル・ブタジエン・スチレン（ＡＢＳ）樹脂などが挙げられる。その他の熱硬化性樹脂としては、例えば、不飽和ポリエステル樹脂などが挙げられる。特に、介在部材４の材質は、内側樹脂部５と同じ材質とすることが好ましい。介在部材４と内側樹脂部５の線膨張係数を同じにすることができ、熱膨張・収縮に伴う各部材の損傷を抑制できるからである。
【００８７】
［使用態様］
リアクトル１は、ハイブリッド自動車や電気自動車、燃料電池自動車といった電動車両に搭載される双方向ＤＣ−ＤＣコンバータなどの電力変換装置の構成部材に利用することができる。
【００８８】
本例のリアクトル１は、液体冷媒に浸漬された状態で使用することができる。液体冷媒の種類は、特に限定されないが、ハイブリッド自動車でリアクトル１を利用する場合、ＡＴＦ（Ａｕｔｏｍａｔｉｃ  Ｔｒａｎｓｍｉｓｓｉｏｎ  Ｆｌｕｉｄ）などが挙げられる。その他、液体冷媒には、フッ素系不活性液体、フロン系冷媒、アルコール系冷媒、ケトン系冷媒などが利用できる。フッ素系不活性液体は、フロリナート（登録商標）などが挙げられる。フロン系冷媒は、ＨＣＦＣ−１２３やＨＦＣ−１３４ａなどが挙げられる。アルコール系冷媒は、メタノールやアルコールなどが挙げられる。ケトン系冷媒は、アセトンなどが挙げられる。本例のリアクトル１では、巻回部２１，２２が外部に露出している。そのため、リアクトル１を液体冷媒等の冷却媒体で冷却する場合には、巻回部２１，２２を冷却媒体に直接接触させられる。よって、本例のリアクトル１は放熱性に優れる。
【００８９】
〔リアクトルの製造方法〕
リアクトル１は、コイル２とコア片３１１，３２１と介在部材４とを組み合わせた組合体１０を用意し、巻回部２１，２２とコア片３１１との間に樹脂を充填して硬化することで製造できる。
【００９０】
本例では、組物を成形金型（図示略）内に配置し、成形金型内に樹脂を注入する射出成形を行う。樹脂の注入は、成形金型の二つの注入孔から行なう。各注入孔は、各外側コア部３２の両孔部３５に対応する位置に設けられている。即ち、樹脂の注入は、各外側コア部３２の外方側（コイル２の反対側）から充填する両側充填で行う。成形金型内に充填された樹脂は、外側コア部３２の外周を覆うと共に、外側コア部３２の孔部３５を介して巻回部２１，２２の内部に流入する。また、樹脂は、外側コア部３２の外周面を回り込んで、端面部材４１の隙間ｈ３（充填経路）を介しても巻回部２１，２２の内部に流入する。
【００９１】
巻回部２１，２２の内部に充填された樹脂は、巻回部２１，２２の内周面とコア片３１１の外周面との間に入り込むだけでなく、隣り合うコア片３１１同士の間、及びコア片３１１と外側コア部３２との間にも入り込み、ギャップ３１２，３１３を形成する。射出成形によって圧力をかけて巻回部２１，２２内に充填された樹脂は、巻回部２１，２２と内側コア部３１との狭い隙間に十分に行き渡る。但し、樹脂は、巻回部２１，２２の外部に漏れることは殆どない。各巻回部２１，２２における隣り合うターン同士が接触しているからである。
【００９２】
巻回部２１，２２の内部に樹脂が充填されたら、熱処理などで樹脂を硬化させる。硬化した樹脂のうち、巻回部２１，２２の内部の樹脂は図２に示すように内側樹脂部５となり、外側コア部３２の孔部３５内の樹脂は、中間樹脂部６となり、外側コア部３２を覆う樹脂は、外側樹脂部７となる。
【００９３】
《実施形態２》
〔リアクトル〕
図５を参照して、実施形態２に係るリアクトルを説明する。実施形態２に係るリアクトルは、外側コア部３２の分割面３２２のうち、中央の分割面３２３と左側の分割面３２４と右側の分割面３２５の少なくとも一つの分割面が他の分割面と異なる平面上に位置する点が相違する。以下、相違点を中心に説明し、同様の構成については説明を省略する。この点は、後述する実施形態３〜実施形態６でも同様である。
【００９４】
本例では、中央の分割面３２３と左側の分割面３２４と右側の分割面３２５はいずれも、外側コア部３２の上下方向に直交する面で構成されている。中央の分割面３２３と左側の分割面３２４と右側の分割面３２５の上下方向の形成位置は、孔部３５を外側コア部３２の上下方向に分断する位置にある。中央の分割面３２３は、左側の分割面３２４及び右側の分割面３２５と異なる平面上に位置する。左側の分割面３２４と右側の分割面３２５とは、同一平面上に位置する。中央の分割面３２３が、左側の分割面３２４及び右側の分割面３２５よりも上方に位置する。具体的には、中央の分割面３２３が、孔部３５の上下方向の中央よりも上方側に形成されている。左側の分割面３２４及び右側の分割面３２５が、孔部３５の上下方向の中央よりも下方側に形成されている。なお、中央の分割面３２３が、左側の分割面３２４及び右側の分割面３２５よりも下方に位置していてもよい。中央の分割面３２３と左側の分割面３２４と右側の分割面３２５のいずれもが異なる平面上に位置していてもよい。
【００９５】
〔作用効果〕
実施形態２に係るリアクトルは、実施形態１と同様、各巻回部２１，２２と各内側コア部３１との間の隙間が小さくても、その隙間に内側樹脂部５の構成樹脂を十分に充填させられる。その上、リアクトルの製造性に優れる。左側の分割面３２４及び右側の分割面３２５と中央の分割面３２３とが異なる平面上に位置するため、上下のコア片３２１を分割面３２２の凹凸で嵌め合わせ易い。そのため、外側コア部３２の上下のコア片３２１同士の位置決めを行い易いからである。
【００９６】
《実施形態３》
〔リアクトル〕
図６を参照して、実施形態３に係るリアクトルを説明する。実施形態３に係るリアクトルは、外側コア部３２が孔部３５（図１など参照）を有さない点が、実施形態１と相違する。
【００９７】
外側コア部３２の分割面３２２は、実施形態１と同様、上下方向に直交する面のみで構成されている。分割面３２２の縦断面形状は、平面状である。分割面３２２は、同一平面上に位置する。本例のように外側コア部３２が孔部３５を有さない場合、分割面３２２の上下方向の形成位置は、例えば、外側コア部３２の上下方向の中心から下方に外側コア部３２の上下方向の長さの２０％までの領域と、同中心から上方に同長さの２０％までの領域とが挙げられる。即ち、外側コア部３２の上下方向において外側コア部３２の上下方向の中心を含む４０％の領域が挙げられる。本例では、この領域内に、分割面３２２のすべてが含まれている。
【００９８】
〔作用効果〕
実施形態３のリアクトルは、実施形態１と同様、巻回部２１，２２と内側コア部３１との間の隙間が小さくても、その隙間に内側樹脂部５の構成樹脂を十分に充填させられる。外側コア部３２が孔部３５を有さなくても、内側樹脂部５の形成時に、外側コア部３２が割れる虞がある。内側樹脂部５の構成樹脂との接触により外側コア部３２に大きな曲げ応力が作用することがあるからである。しかし、外側コア部３２が分割面３２２を有することで、内側樹脂部５の形成時に外側コア部３２に作用する負荷を緩和させられる。そのため、内側樹脂部５の形成時の上記充填圧力や上記保圧力を高められる。
【００９９】
《実施形態４》
〔リアクトル〕
図７を参照して、実施形態４に係るリアクトルを説明する。実施形態４に係るリアクトルは、外側コア部３２が孔部３５（図１〜図４）を有さない点と、外側コア部３２の分割面３２２の縦断面形状と、が実施形態１と相違する。即ち、実施形態４に係るリアクトルは、外側コア部３２の分割面３２２の縦断面形状が、実施形態３のリアクトルと相違する。
【０１００】
外側コア部３２の分割面３２２は、実施形態１とは異なり、外側コア部３２の上下方向に非直交に交差し、かつ外側コア部３２の内外方向に平行な面のみで構成されている。具体的には、外側コア部３２の上下方向と外側コア部３２内の磁束の方向（一対の巻回部２１，２２の並列方向）との両方向に平行な切断面において、分割面３２２の縦断面形状は、Ｖ字状である。外側コア部３２の上記切断面において、Ｖ字状の分割面３２２の各端部は、外側コア部３２の左右の各辺に交差する。分割面３２２の上下方向の形成位置は、上述の実施形態３と同様、外側コア部３２の上下方向の中心から、外側コア部３２の上下方向の長さの±２０％までの領域を言う。本例では、この領域内に、分割面３２２のすべてが含まれている。
【０１０１】
〔作用効果〕
実施形態４に係るリアクトルは、実施形態１と同様、巻回部２１，２２と内側コア部３１との間の隙間が小さくても、その隙間に内側樹脂部５の構成樹脂を十分に充填させられる。その上、リアクトルの製造性に優れる。分割面３２２の縦断面形状はＶ字状であるため、上下方向のコア片３２１同士を分割面３２２の凹凸で嵌め合わせることができる。そのため、外側コア部３２の上下のコア片３２１同士の位置決めを行い易いからである。
【０１０２】
《実施形態５》
〔リアクトル〕
図８を参照して、実施形態５に係るリアクトルを説明する。実施形態５に係るリアクトルは、外側コア部３２が孔部３５（図１〜図４）を有さない点と、外側コア部３２の分割面３２２の形態と、が実施形態１と相違する。図８では、図１などとは違って、内側コア部３１と内側コア部３２の形状を簡略化して示している。この点は、後述する図９でも同様である。
【０１０３】
外側コア部３２の分割面３２２は、外側コア部３２の上下方向に交差し、かつ外側コア部３２の内外方向に交差する面（非平行な面）を有する。外側コア部３２内の磁束の方向（一対の内側コア部３１の並列方向）に直交する切断面において、分割面３２２の横断面形状は、Ｖ字状である。外側コア部３２の上記切断面において、Ｖ字状の分割面３２２の各端部は、外側コア部３２の左右（内外方向）の各辺に交差する。分割面３２２の上下方向の形成位置は、上述の実施形態３、４と同様、外側コア部３２の上下方向の中心から、外側コア部３２の上下方向の長さの±２０％までの領域を言う。本例では、この領域内に、分割面３２２のすべてが含まれている。Ｖ字状の分割面３２２は、本例では外側コア部３２の上方向に凸となるように形成されているが、下方向に凸となるように形成されていてもよい。
【０１０４】
〔作用効果〕
実施形態５に係るリアクトルは、実施形態１と同様、巻回部２１，２２と内側コア部３１との間の隙間が小さくても、その隙間に内側樹脂部５の構成樹脂を十分に充填させられる。その上、分割面３２２により、充填時の内側樹脂部５の構成樹脂との接触などにより外側コア部３２に作用する負荷を緩和し易いため、外側コア部３２の割れを抑制し易い。そして、実施形態４と同様、リアクトルの製造性に優れる。
【０１０５】
《実施形態６》
〔リアクトル〕
図９を参照して、実施形態６に係るリアクトルを説明する。実施形態６に係るリアクトルは、外側コア部３２が孔部３５（図１〜図４）を有さない点と、外側コア部３２の分割面３２２の形態と、が実施形態１と相違する。この実施形態６に係るリアクトルは、外側コア部３２の分割面３２２の横断面形状が、実施形態５のリアクトルと相違する。
【０１０６】
外側コア部３２内の磁束の方向（一対の内側コア部３１の並列方向）に直交する切断面において、外側コア部３２の分割面３２２の横断面形状は、傾斜状である。外側コア部３２の上記切断面において、傾斜状の分割面３２２の各端部は、外側コア部３２の左右（内外方向）の各辺に交差する。分割面３２２の上下方向の形成位置は、上述の実施形態３〜５と同様、外側コア部３２の上下方向の中心から、外側コア部３２の上下方向の長さの±２０％までの領域を言う。本例では、この領域内に、分割面３２２のすべてが含まれている。傾斜状の分割面３２２は、本例では外側コア部３２の外方側から内方側に向かって高さが低くなるように形成されているが、外側コア部３２の外方側から内方側に向かって高さが高くなるように形成されていてもよい。
【０１０７】
〔作用効果〕
実施形態６に係るリアクトルは、実施形態１と同様、巻回部２１，２２と内側コア部３１との間の隙間が小さくても、その隙間に内側樹脂部５の構成樹脂を十分に充填させられる。その上、分割面３２２により、充填時の内側樹脂部５の構成樹脂との接触などにより外側コア部３２に作用する負荷を緩和し易いため、外側コア部３２の割れを抑制し易い。
【０１０８】
本発明はこれらの例示に限定されるものではなく、特許請求の範囲によって示され、特許請求の範囲と均等の意味および範囲内でのすべての変更が含まれることが意図される。例えば、実施形態４〜実施形態６に係るリアクトルにおいて、外側コア部３２には孔部３５（図１〜図４を参照）が形成されていてもよい。その場合、実施形態１と同様、孔部３５を上下方向に分断する位置に分割面３２２を形成することが挙げられる。
【符号の説明】
【０１０９】
１  リアクトル
１０  組合体
２  コイル
２１，２２  巻回部
２１１，２２１  巻線
２１５，２２５  端部
３  磁性コア
３１  内側コア部
３１１  コア片
３１２、３１３  ギャップ
３２  外側コア部
３２１  コア片
３２２  分割面
３２３  中央の分割面
３２４  左側の分割面
３２５  右側の分割面
３５  孔部
４  介在部材
４１  端面部材
４１０  貫通孔
４１１，４１２  凹部
４２  内側部材
４３  端部片
４３１  当て止め部
４３２  連結部
４４  中間片
４４１  当て止め部
５  内側樹脂部
６  中間樹脂部
７  外側樹脂部
７１  固定部
ｈ１，ｈ２，ｈ３  隙間
【図１】
2020053432.tif 000003
【図２】
2020053432.tif 000004
【図３】
2020053432.tif 000005
【図４】
2020053432.tif 000006
【図５】
2020053432.tif 000007
【図６】
2020053432.tif 000008
【図７】
2020053432.tif 000009
【図８】
2020053432.tif 000010
【図９】
2020053432.tif 000011